(57)【要約】【課題】確実に脱落を防止することができる吐水装置を提供する。【解決手段】本発明は、吐水装置本体部（２）と接続部（４）を有し、給水管（６）に取り付けられる吐水装置（１）であって、吐水装置本体部を接続部に対して所定の設置位置に取り付けて固定するための固定手段（８）を有し、接続部は、給水管に結合される給水管結合部（４ａ）と、接続部係ねじ部（４ｂ）と、を備え、吐水装置本体部は、吐水装置本体部が接続部に取り付けられる際に接続部係ねじ部に対して一旦螺合され、吐水装置本体部が設置位置に固定された状態では、接続部係ねじ部を通り越しているように位置決めされた本体部係ねじ部（１４）を備えていることを特徴としている。【選択図】図１
2007262780.tif 000002
【特許請求の範囲】
【請求項１】
吐水装置本体部と接続部を有し、給水管に取り付けられる吐水装置であって、
上記吐水装置本体部を上記接続部に対して所定の設置位置に取り付けて固定するための固定手段を有し、
上記接続部は、上記給水管に結合される給水管結合部と、接続部係ねじ部と、を備え、
上記吐水装置本体部は、上記吐水装置本体部が上記接続部に取り付けられる際に上記接続部係ねじ部に対して一旦螺合され、上記吐水装置本体部が上記設置位置に固定された状態では、上記接続部係ねじ部を通り越しているように位置決めされた本体部係ねじ部を備えていることを特徴とする吐水装置。
【請求項２】
さらに、上記吐水装置本体部と上記接続部との間を水密にするシール手段を有し、このシール手段は、上記吐水装置本体部が上記設置位置から外れると、水密性を失うように構成されている請求項１記載の吐水装置。
【請求項３】
上記固定手段が、上記吐水装置本体部に螺合され、且つ先端が上記接続部に当接されるように設けられた止めねじである請求項１又は２記載の吐水装置。
【請求項４】
上記固定手段が、上記吐水装置本体部及び上記接続部に夫々形成され、互いに螺合される固定用ねじ部である請求項１又は２記載の吐水装置。
【請求項５】
上記本体部係ねじ部又は上記接続部係ねじ部の一方が、上記固定用ねじ部の一方を兼ねている請求項４記載の吐水装置。
【請求項６】
上記本体部係ねじ部は、上記吐水装置本体部に形成された上記固定用ねじ部を兼ねており、この吐水装置本体部の固定用ねじ部の長さは、上記接続部に形成された上記接続部係ねじ部と、この接続部係ねじ部よりも基端側に形成された固定用ねじ部の間の間隔よりも短い請求項５記載の吐水装置。
【発明の詳細な説明】
【技術分野】
【０００１】
本発明は、吐水装置に関し、特に、吐水装置本体部及び接続部を備え、給水管に取り付けられる吐水装置に関する。
【背景技術】
【０００２】
特開２００２−１６７８１９号公報（特許文献１）には、吐水具の取り付け構造が記載されている。この取り付け構造は、水道の給水管に結合される接続用部材と、この接続用部材に固定されるスパウトを備えており、このスパウトに螺合される止めねじを締めて、その先端を接続用部材に押し付けることによりスパウトを固定している。
【０００３】
【特許文献１】特開２００２−１６７８１９号公報
【発明の開示】
【発明が解決しようとする課題】
【０００４】
しかしながら、スパウト等の吐水装置の使用中に止めねじが緩んだり、或いは、吐水装置の設置時に止めねじの取り付けを忘れたりした場合には、水道水圧によって吐水装置が接続用部材から脱落する虞があるという問題がある。
【０００５】
特開２００２−１６７８１９号公報記載の接続構造では、接続用部材に抜け止めピンが形成されており、スパウトを接続用部材に取り付ける際には、スパウトに形成された案内孔と抜け止めピンを整合させて、接続用部材をスパウトの中に受け入れている。この案内孔と抜け止めピンは、スパウトが所定の設置位置に固定された状態では位置が整合しないように構成されているため、止めねじが外れた場合でも抜け止めピンがスパウトに係合して、スパウトの脱落が防止される。
【０００６】
しかしながら、特開２００２−１６７８１９号公報記載の接続構造では、依然として、止めねじが外れた後、案内孔と抜け止めピンの位置が偶発的に整合した場合にスパウトが脱落する虞がある。特に、使用者の頭上に設置されるシャワーヘッド等の吐水装置においては、より高い安全性が求められている。
【０００７】
従って、本発明は、より確実に脱落を防止することができる吐水装置を提供することを目的としている。
【課題を解決するための手段】
【０００８】
上述した課題を解決するために、本発明は、吐水装置本体部と接続部を有し、給水管に取り付けられる吐水装置であって、吐水装置本体部を接続部に対して所定の設置位置に取り付けて固定するための固定手段を有し、接続部は、給水管に結合される給水管結合部と、接続部係ねじ部と、を備え、吐水装置本体部は、吐水装置本体部が接続部に取り付けられる際に接続部係ねじ部に対して一旦螺合され、吐水装置本体部が設置位置に固定された状態では、接続部係ねじ部を通り越しているように位置決めされた本体部係ねじ部を備えていることを特徴としている。
【０００９】
このように構成された本発明においては、まず、接続部の給水管結合部が給水管に取り付けられる。次に、吐水装置本体部が接続部に取り付けられる際には、吐水装置本体部の本体部係ねじ部が、接続部の接続部係ねじ部に一旦螺合される。接続部係ねじ部に対し、本体部係ねじ部をさらに回転させると、本体部係ねじ部は接続部係ねじ部を通り越す。固定手段は、吐水装置本体部を接続部に対し、本体部係ねじ部が接続部係ねじ部を通り越した状態の所定の設置位置に固定する。
【００１０】
このように構成された本発明によれば、長年の使用等により、固定手段による吐水装置本体部の固定が外れた場合にも、吐水装置本体部と接続部は、本体部係ねじ部及び接続部係ねじ部により依然として係合された状態にある。この本体部係ねじ部と接続部係ねじ部の係合を解除するには、本体部係ねじ部と接続部係ねじ部の中心軸線を整合させ、所定の方向に吐水装置本体部を回転させる必要があるので、これらの係合が偶発的に解除され、吐水装置本体部が脱落するのを防止することができる。
【００１１】
本発明において、好ましくは、さらに、吐水装置本体部と接続部との間を水密にするシール手段を有し、このシール手段は、吐水装置本体部が設置位置から外れると、水密性を失うように構成されている。
【００１２】
このように構成された本発明によれば、吐水装置本体部が設置位置から外れると、吐水装置本体部と接続部の間の水密性が失われ、漏水が発生するので、使用者は吐水装置本体部が設置位置から外れたことを即座に認識することができる。
【００１３】
本発明において、好ましくは、固定手段は、吐水装置本体部に螺合され、且つ先端が接続部に当接されるように設けられた止めねじである。
このように構成された本発明においては、吐水装置本体部の接続部に対する取り付け角度を調節した後、止めねじを締め付けることにより吐水装置本体部を固定する。
このように構成された本発明によれば、吐水装置本体部の取り付け角度の調節を可能にしながら、吐水装置本体部の脱落を確実に防止することができる。
【００１４】
本発明において、好ましくは、固定手段が、吐水装置本体部及び接続部に夫々形成され、互いに螺合される固定用ねじ部である。
このように構成された本発明においては、吐水装置本体部の本体部係ねじ部と接続部の接続部係ねじ部が一旦螺合され、本体部係ねじ部が接続部係ねじ部を通り越した後、吐水装置本体部及び接続部に夫々形成された固定用ねじ部が螺合され、吐水装置本体部が接続部に固定される。
このように構成された本発明によれば、吐水装置本体部と接続部を、より強固に固定することができる。
【００１５】
本発明において、好ましくは、本体部係ねじ部又は接続部係ねじ部の一方が、固定用ねじ部の一方を兼ねている。
このように構成された本発明によれば、本体部係ねじ部又は接続部係ねじ部の一方が、固定用ねじ部の一方を兼ねているので、固定用ねじ部による吐水装置本体部の固定を、よりコンパクトに実現することができる。
【００１６】
本発明において、好ましくは、本体部係ねじ部は、吐水装置本体部に形成された固定用ねじ部を兼ねており、この吐水装置本体部の固定用ねじ部の長さは、接続部に形成された接続部係ねじ部と、この接続部係ねじ部よりも基端側に形成された固定用ねじ部の間の間隔よりも短い。
【００１７】
このように構成された本発明においては、本体部係ねじ部が接続部の固定用ねじ部から外れると、本体部係ねじ部は、接続部の接続部係ねじ部と固定用ねじ部の間に位置する状態となる。この状態から本体部係ねじ部と接続部係ねじ部の係合を解除するには、各係ねじ部の中心軸線を再び整合させる必要があるので、吐水装置本体部の接続部からの偶発的な脱落が、さらに起こりにくくなる。
【発明の効果】
【００１８】
本発明の吐水装置によれば、より確実に脱落を防止することができる。
【発明を実施するための最良の形態】
【００１９】
次に、添付図面を参照して、本発明の実施形態を説明する。
まず、図１乃至３を参照して、本発明の第１実施形態によるオーバーヘッドシャワー用のシャワーヘッドを説明する。図１は本実施形態の吐水装置であるシャワーヘッドの断面図であり、図２はシャワーヘッドの分解斜視図である。また、図３は、シャワーヘッド本体が所定の設置位置から外れた状態を示す部分拡大断面図である。
【００２０】
図１及び図２に示すように、本発明の第１実施形態によるシャワーヘッド１は、吐水装置本体部であるシャワーヘッド本体２と、壁面Ｗに設けられた給水管６に結合される接続部４と、シャワーヘッド本体２を接続部４に固定する固定手段である止めねじ８と、を有する。さらに、接続部４とシャワーヘッド本体２との間にはこれらの間の水密性を確保するためのシール手段であるＯリング１０が配置されている。
【００２１】
シャワーヘッド本体２は、シャワーヘッド１を取り付ける壁面Ｗに当接されるベース部２ａと、このベース部２ａの上端から水平方向に延びる水平部２ｂと、を有する概ねＬ字形の部材である。水平部２ｂの内部には、吐出させる湯水を流すための通水路が形成され、先端には吐水穴２ｃが形成されている。また、吐水穴２ｃには、多数の散水孔が形成された散水板１２が取り付けられている。
【００２２】
さらに、水平部２ｂの基端部には、接続部４の先端を受け入れるための円筒状の接続部受け入れ部２ｄが形成されている。この接続部受け入れ部２ｄの最奥部には、本体部係ねじ部である係雌ねじ山１４が形成されている。また、この係雌ねじ山１４の基端側には、Ｏリング１０と密着して水密性を確保するための水密円筒部１６が形成され、さらに、この水密円筒部１６の基端側には、水密円筒部１６よりも内径が大きい拡径部１８が形成されている。また、止めねじ８は、水平部２ｂの上面側に、接続部受け入れ部２ｄの半径方向に向けて形成された雌ねじ２０に螺合されており、この雌ねじ２０は接続部受け入れ部２ｄの拡径部１８に貫通するように延びている。
【００２３】
接続部４は、内部に通水路が形成された概ね円筒状の部品である。接続部４の基端部には壁面Ｗに設けられた給水管６に水密的に螺合される給水管結合部であるテーパねじ部４ａが形成されている。また、接続部４の先端部にはシャワーヘッド本体２を取り付ける際にシャワーヘッド本体２の係雌ねじ山１４と一旦螺合される接続部係ねじ部である係雄ねじ山４ｂが形成されている。これらの係雌ねじ山１４及び係雄ねじ山４ｂの長さは短く、夫々約２山ずつ構成されている。さらに、接続部４のテーパねじ部４ａと係雄ねじ山４ｂの間には、２本の環状の突起４ｃが形成されており、これらの間にＯリング１０が位置決めされるように構成されている。
【００２４】
次に、図１乃至図３を参照して、本発明の第１実施形態によるシャワーヘッド１の取り付け手順を説明する。
まず、壁面Ｗに設けられている給水管６の先端のテーパねじに、接続部４のテーパねじ部４ａを螺合させ、接続部４を給水管６に取り付ける。この際、テーパねじ部にシール材を塗布しておくことにより、接続部４と給水管６の間の水密性が確保される。
【００２５】
次に、シャワーヘッド本体２を接続部４に取り付ける。まず、シャワーヘッド本体２の接続部受け入れ部２ｄが、壁面Ｗから突出した状態に取り付けられている接続部４を受け入れるように、シャワーヘッド本体２を配置する。接続部４をシャワーヘッド本体２の接続部受け入れ部２ｄに挿入すると、接続部４先端の係雄ねじ山４ｂと、接続部受け入れ部２ｄ最奥部の係雌ねじ山１４が接触する。この状態で、係雄ねじ山４ｂと係雌ねじ山１４の中心軸線を整合させ、シャワーヘッド本体２を回転させることにより、係雄ねじ山４ｂと係雌ねじ山１４が螺合される。係雄ねじ山４ｂ及び係雌ねじ山１４は約２山ずつ形成されているため、シャワーヘッド本体２を接続部４対して約２回転させると、シャワーヘッド本体２の係雌ねじ山１４は、図３に示すように、接続部４の係雄ねじ山４ｂを通り越し、両者の螺合状態は解除される。この状態では、シャワーヘッド本体２を回転させずに、シャワーヘッド本体２を単に壁面Ｗの方向に押し付けるだけで、接続部４は接続部受け入れ部２ｄの中にさらに深く受け入れられる。
【００２６】
また、図３に示す状態から、シャワーヘッド本体２をさらに壁面Ｗの方向に押し付けることにより、接続部４の外周に嵌め込まれたＯリング１０は、接続部受け入れ部２ｄの拡径部１８から水密円筒部１６の中に押し込まれる。これにより、接続部４とシャワーヘッド本体２の間の水密性が確保される。さらに、シャワーヘッド本体２をベース部２ａが壁面Ｗに当接するまで押し込む。この状態で、シャワーヘッド本体２の水平部２ｂが正確に水平方向に向くように取り付け角度を調整し、最後に止めねじ８を締め付ける。止めねじ８を締め付けることにより、その先端が接続部４の外周面に押し付けられ、シャワーヘッド本体２が接続部４に固定される。
【００２７】
また、本実施形態によるシャワーヘッド１の使用状態においては、給水管６から供給された湯水は、接続部４の通水路、水平部２ｂの通水路を通って散水板１２の散水孔から吐出される。この際、シャワーヘッド本体２は、給水圧により、シャワーヘッド本体２を接続部４から引き抜く方向の力や、シャワーヘッド本体２を振動させる力を受ける。通常の使用状態においては、シャワーヘッド本体２は止めねじ８で固定されているため、このような給水圧を受けてもシャワーヘッド本体２が接続部４から抜けることはない。また、万一、止めねじ８の締め付け力不足や、締め忘れにより、シャワーヘッド本体２が接続部４から抜けたとしても、シャワーヘッド本体２の取り付け時に一旦螺合され、通り越した状態にあるシャワーヘッド本体２の係雌ねじ山１４と接続部４の係雄ねじ山４ｂが係合するので、シャワーヘッド本体２の接続部４からの脱落が防止される。即ち、シャワーヘッド本体２を接続部４から抜き取るには、シャワーヘッド本体２と接続部４を整合させ、係雌ねじ山１４と係雄ねじ山４ｂを螺合させた状態で約２回転させる必要があるため、偶発的にシャワーヘッド本体２が接続部４から抜け落ちることはない。
【００２８】
また、シャワーヘッド本体２が図１に示す所定の設置位置から、図３に示す位置まで抜けると、接続部受け入れ部２ｄの水密円筒部１６に密着されていたＯリング１０が接続部受け入れ部２ｄの拡径部１８に面するようになる。このため、シャワーヘッド本体２が設置位置から外れると、Ｏリング１０による水密性が失われる。これにより、湯水がシャワーヘッド本体２と接続部４の間から外部に漏れ、シャワーヘッド本体２が所定の設置位置から外れていることが、使用者によって即座に認識される。
【００２９】
本発明の第１実施形態のシャワーヘッドによれば、長年の使用等により止めねじが緩んだ場合にも、シャワーヘッド本体の係雌ねじ山と接続部の係雄ねじ山は依然として係合された状態にあるので、シャワーヘッド本体の脱落を、より確実に防止することができる。
【００３０】
また、本実施形態のシャワーヘッドによれば、シャワーヘッド本体が設置位置から外れると、シャワーヘッド本体と接続部の間の水密性が失われ、漏水が発生するので、使用者はシャワーヘッド本体が設置位置から外れたことを即座に認識することができる。
【００３１】
さらに、本実施形態のシャワーヘッドによれば、シャワーヘッド本体が止めねじで接続部に固定されているので、シャワーヘッド本体の取り付け角度調節を可能にしながら、シャワーヘッド本体の脱落を確実に防止することができる。
【００３２】
なお、上述した実施形態においては、シャワーヘッド本体に雌ねじの係ねじが形成され、接続部に雄ねじの係ねじが形成されていたが、これらの関係が逆に、即ち、シャワーヘッド本体に係雄ねじ山を形成し、接続部に係雌ねじ山を形成することもできる。
【００３３】
次に、図４及び図５を参照して、本発明の第２実施形態によるボディーシャワー用シャワーヘッドを説明する。図４は本実施形態による吐水装置であるボディーシャワー用シャワーヘッドの断面図であり、図５はボディーシャワー用シャワーヘッドの分解斜視図である。
【００３４】
図４及び図５に示すように、本実施形態によるボディーシャワー用シャワーヘッド１００は、回動可能に取り付けられる吐水装置本体部であるシャワーヘッド本体部１０２と、壁面Ｗに設けられた給水管６に取り付けられる接続部１０４と、を有する。
【００３５】
シャワーヘッド本体部１０２は、シャワーヘッド本体部１０２を接続部１０４に対して固定するための固定用カバー１０６と、固定用カバー１０６と接続部１０４の間に回動可能に挟持されるピボット軸部１０８と、散水板１１４が取り付けられたボディー部１１２と、ピボット軸部１０８とボディー部１１２を連結するアダプタ部１１０と、を有する。
【００３６】
また、接続部１０４は、給水管６に結合される給水管連結部１１６と、この給水管連結部１１６を覆うように配置され、ピボット軸部１０８を受けるためのピボット受け部１１８と、を有する。
【００３７】
給水管連結部１１６は、中心に通水路が形成された概ね円筒状の部品であり、給水管６に形成されたテーパねじに螺合される給水管結合部であるテーパねじ部１１６ａと、このテーパねじ部１１６ａよりも直径が大きく、ピボット受け部１１８の中に水密的に受け入れられる水密筒部１１６ｂと、を有する。この水密筒部１１６ｂの外周には、各々にＯリング１２６を配置するための２本の環状溝が形成されている。
【００３８】
ピボット受け部１１８は、概ね円筒状の部品であり、内部に給水管連結部１１６を受け入れて、これを覆うように構成されている。また、ピボット受け部１１８の先端部には、ピボット軸部１０８を受け入れるための円形のピボット受け凹部１１８ａが形成されている。このピボット受け凹部１１８ａの底部には、ピボット軸部１０８とピボット受け凹部１１８ａの間の水密性を確保するための円環状のパッキン１２０が配置されている。
【００３９】
また、ピボット受け部１１８の先端外周には接続部係ねじ部である係雄ねじ山１１８ｂが形成されている。本実施形態においては、この係雄ねじ山１１８ｂは、約２山形成されている。さらに、ピボット受け部１１８の中程の外周には固定用ねじ部１１８ｃが形成されている。これらの係雄ねじ山１１８ｂと固定用ねじ部１１８ｃは同心状に形成されており、それらの間隔は、固定用カバー１０６に形成された係雌ねじ山１０６ｂよりも長く構成されている。また、ピボット受け部１１８の基部には、ピボット受け部１１８の半径方向に向けられた止めねじ１２４が螺合されており、この止めねじ１２４を締め付けることによりピボット受け部１１８と給水管連結部１１６が一体化されている。
【００４０】
ピボット軸部１０８は、中央に通水路が形成された概ね円筒状の部品である。ピボット軸部１０８の基端部外面には、シャワーヘッド本体部１０２と接続部１０４のピボット連結を可能にするための球状面１０８ａが形成されており、先端部外周面にはアダプタ部１１０と螺合させるための連結ねじ１０８ｂが形成されている。
【００４１】
さらに、固定用カバー１０６は、概ね円筒状の部品であり、ピボット受け部１１８に螺合され、ピボット受け部１１８との間にピボット軸部１０８を挟持するように構成されている。固定用カバー１０６は、ピボット軸部１０８を取り囲むように形成されたドーナツ型の挟持面１０６ａを有し、この挟持面１０６ａの内周に円環状の樹脂部材１２２が配置されている。この樹脂部材１２２と、ピボット受け凹部１１８ａに配置されたパッキン１２０との間に、ピボット軸部１０８の球状面１０８ａを挟むことにより、ピボット軸部１０８をピボット状に回動可能に支持している。
【００４２】
また、固定用カバー１０６の基部内周には、本体部係ねじ部である係雌ねじ山１０６ｂが形成されている。この係雌ねじ山１０６ｂは、固定用カバー１０６をピボット受け部１１８に取り付ける際、一旦、ピボット受け部１１８の係雄ねじ山１１８ｂに螺合され、この係雄ねじ山１１８ｂを通り越した後、固定用ねじ部１１８ｃに螺合され固定される。従って、係雌ねじ山１０６ｂは、係雄ねじ山１１８ｂと螺合される本体部係ねじ部と、シャワーヘッド本体部１０２を接続部１０４に取り付ける固定手段である固定用ねじ部とを兼ねている。本実施形態においては、この係雌ねじ山１０６ｂは、約２山形成されている。
【００４３】
アダプタ部１１０は、中央に通水路が形成された概ね円筒状の部品である。アダプタ部１１０の基端部内周には、ピボット軸部１０８の連結ねじ１０８ｂと螺合される連結ねじ１１０ａが形成されている。また、アダプタ部１１０の先端部外周には、ボディー部１１２と連結するための連結ねじ１１０ｂが形成されている。
【００４４】
ボディー部１１２は、アダプタ部１１０及び固定用カバー１０６の先端部を取り囲むように配置された概ね円筒状の部材であり、その先端部には多数の散水孔１１４ａが形成された散水板１１４が取り付けられている。ボディー部１１２の内部には、アダプタ部１１０を受け入れ、アダプタ部１１０と螺合される連結ねじ部１１２ａが形成され、さらに、アダプタ部１１０の通水路の先端から吐出された湯水を散水板１１４まで導く通水路が形成されている。
【００４５】
次に、図４及び図５を参照して、本発明の第２実施形態によるボディーシャワー用シャワーヘッド１００の設置手順を説明する。
まず、壁面Ｗに設けられている給水管６のテーパねじに、給水管連結部１１６のテーパねじ部１１６ａを螺合させ、給水管連結部１１６を給水管６に水密的に取り付けておく。
【００４６】
一方、固定用カバー１０６、ピボット軸部１０８、アダプタ部１１０、ボディー部１１２、及び散水板１１４を、予め図４に示す状態に組み立てておき、これをピボット受け部１１８に取り付ける。即ち、まず、固定用カバー１０６の内周に形成された係雌ねじ山１０６ｂの中心軸と、ピボット受け部１１８の外周先端に形成された係雄ねじ山１１８ｂの中心軸とを整合させ、係雌ねじ山１０６ｂと係雄ねじ山１１８ｂを螺合させる。各ねじ山は約２山ずつ形成されているので、それらが螺合された後、約２回転させることにより、係雌ねじ山１０６ｂは係雄ねじ山１１８ｂを通り越す。
【００４７】
係雌ねじ山１０６ｂが係雄ねじ山１１８ｂを通り越すと、係雌ねじ山１０６ｂは、ピボット受け部１１８の先端の係雄ねじ山１１８ｂと、中間部に形成された固定用ねじ部１１８ｃとの間の、ねじ山が形成されていない部分に位置するようになる。この状態では、固定用カバー１０６とピボット受け部１１８は螺合されていないため、それらの間にはガタが存在するが、係雌ねじ山１０６ｂと係雄ねじ山１１８ｂの係合により、固定用カバー１０６をピボット受け部１１８から引き抜くことはできない。
【００４８】
次に、まず、固定用カバー１０６の係雌ねじ山１０６ｂの中心軸と、ピボット受け部１１８の固定用ねじ部１１８ｃの中心軸とを整合させ、係雌ねじ山１０６ｂと固定用ねじ部１１８ｃを螺合させる。固定用カバー１０６をピボット受け部１１８にねじ込むことにより、ピボット軸部１０８の球状面１０８ａが、パッキン１２０と樹脂部材１２２の間に挟まれる。固定用カバー１０６を所定の位置までねじ込むことにより、パッキン１２０及び樹脂部材１２２が適度に押しつぶされ、ピボット受け部１１８とピボット軸部１０８の間の水密性が確保される。また、同時に、ピボット軸部１０８の球状面１０８ａがパッキン１２０に対して摺動されることにより、シャワーヘッド本体部１０２のピボット式の回動が許容され、それらの間の摩擦により回動された任意の位置でシャワーヘッド本体部１０２を止めることができる。
【００４９】
最後に、固定用カバー１０６、ボディー部１１２等を取り付けたピボット受け部１１８を、予め壁面Ｗに取り付けられた給水管連結部１１６を覆うように取り付け、止めねじ１２４を締め付ける。これにより、ピボット受け部１１８は、その基端部が壁面Ｗに当接した状態で固定される。また、給水管連結部１１６とピボット受け部１１８の間の水密性は、２本のＯリング１２６によって確保される。
【００５０】
本実施形態によるボディーシャワー用シャワーヘッド１００の実使用時においては、給水管６から供給された湯水は、給水管連結部１１６、ピボット軸部１０８、アダプタ部１１０、及びボディー部１１２の通水路１１２ｂを通って散水板１１４の散水孔１１４ａから吐水される。また、使用者の好みによりシャワーヘッド本体部１０２を任意の方向に回動させると、シャワーヘッド本体部１０２はその位置に維持される。
【００５１】
また、長期間の使用により、ピボット受け部１１８と固定用カバー１０６の間の螺合による締め付けが緩んだ場合には、ピボット軸部１０８とパッキン１２０の間の水密性が失われ、湯水が外部に漏れるようになる。これにより、固定用カバー１０６の締め付けが緩み、シャワーヘッド本体部１０２が所定の設置位置から外れていることが、使用者によって即座に認識される。また、締め付けがさらに緩み、螺合されている固定用カバー１０６の係雌ねじ山１０６ｂが、ピボット受け部１１８の固定用ねじ部１１８ｃから外れたとしても、係雌ねじ山１０６ｂとピボット受け部１１８の係雄ねじ山１１８ｂの係合により、シャワーヘッド本体部１０２の脱落は防止される。
【００５２】
本発明の第２実施形態によるボディーシャワー用シャワーヘッドによれば、シャワーヘッド本体部と接続部が固定用ねじ部によって固定されているので、シャワーヘッド本体部をより強固に固定することができる。
【００５３】
また、本実施形態によるボディーシャワー用シャワーヘッドによれば、固定用カバーの係雌ねじ山が固定用ねじ部を兼ねているので、シャワーヘッドをよりコンパクトに構成することができる。
【００５４】
さらに、本実施形態によるボディーシャワー用シャワーヘッドによれば、ピボット受け部の係雄ねじ山と固定用ねじ部の間の間隔が、固定用カバーの係雌ねじ山の長さよりも長いので、係雌ねじ山と固定用ねじ部の螺合が外れた後、係雌ねじ山と係雄ねじ山の中心軸線を再び整合させる必要があるので、シャワーヘッド本体部の接続部からの偶発的な脱落が、さらに起こりにくくなる。
【００５５】
また、上述した実施形態においては、係雌ねじ山と固定用ねじ部が兼用にされていたが、係雄ねじ山と固定用ねじ部が兼用にされるように構成することもできる。或いは、各固定用ねじ部を、係雄ねじ山及び係雌ねじ山とは別に、独立して設けることもできる。
【００５６】
次に、図６を参照して、本発明の第３実施形態によるスパウトを説明する。図６は本実施形態の吐水装置であるスパウトの断面図である。
図６に示すように、本発明の第３実施形態によるスパウト２００は、吐水装置本体部であるスパウト本体２０２と、壁面Ｗに設けられた給水管６に結合される接続部２０４と、スパウト本体２０２を接続部２０４に固定する固定手段である止めねじ２０８と、を有する。さらに、接続部２０４とスパウト本体２０２との間にはシール手段であるＯリング２１０が配置されている。
【００５７】
スパウト本体２０２は、スパウト２００を取り付ける壁面Ｗに当接されるベース部２０２ａと、このベース部２０２ａの下端から水平方向に延びる水平部２０２ｂと、を有する概ねＬ字形の部材である。水平部２０２ｂの内部には、吐出させる湯水を流すための通水路が形成され、先端には吐水穴２０２ｃが形成されている。また、吐水穴２０２ｃには、整流網２１２が取り付けられている。
【００５８】
さらに、水平部２０２ｂの基端部には、接続部２０４の先端を受け入れる接続部受け入れ部２０２ｄが形成されている。この接続部受け入れ部２０２ｄの最奥部には、本体部係ねじ部である係雌ねじ山２１４が形成されている。また、この係雌ねじ山２１４の基端側には、Ｏリング２１０と密着して水密性を確保するための水密円筒部２１６が形成され、さらに、この水密円筒部２１６の基端側には、水密円筒部２１６よりも内径が大きい拡径部２１８が形成されている。また、止めねじ２０８は、水平部２０２ｂの下面側に、接続部受け入れ部２０２ｄの半径方向に向けて形成された雌ねじ２２０に螺合されており、この雌ねじ２２０は接続部受け入れ部２０２ｄの拡径部２１８に貫通するように延びている。
【００５９】
接続部２０４は、内部に通水路が形成された概ね円筒状の部品である。接続部２０４の基端部には壁面Ｗに設けられた給水管６に水密的に螺合される給水管結合部であるテーパねじ部２０４ａが形成されている。また、接続部２０４の先端部にはスパウト本体２０２を取り付ける際にスパウト本体２０２の係雌ねじ山２１４と一旦螺合される接続部係ねじ部である係雄ねじ山２０４ｂが形成されている。これらの係雌ねじ山２１４及び係雄ねじ山２０４ｂの長さは短く、夫々約２山ずつ構成されている。さらに、接続部２０４のテーパねじ部２０４ａと係雄ねじ山２０４ｂの間には、２本の環状の突起２０４ｃが形成されており、これらの間にＯリング２１０が位置決めされるように構成されている。
【００６０】
次に、図６を参照して、本発明の第３実施形態によるスパウト２００の取り付け手順を説明する。
まず、壁面Ｗに設けられている給水管６の先端のテーパねじに、接続部２０４のテーパねじ部２０４ａを螺合させ、接続部２０４を給水管６に取り付ける。
【００６１】
次に、スパウト本体２０２を接続部２０４に取り付ける。まず、スパウト本体２０２の接続部受け入れ部２０２ｄが、壁面Ｗから突出した状態に取り付けられている接続部２０４を受け入れるように、スパウト本体２０２を配置する。接続部２０４をスパウト本体２０２の接続部受け入れ部２０２ｄに挿入すると、接続部２０４先端の係雄ねじ山２０４ｂと、接続部受け入れ部２０２ｄ最奥部の係雌ねじ山２１４が接触する。この状態で、係雄ねじ山２０４ｂと係雌ねじ山２１４の中心軸線を整合させ、スパウト本体２０２を回転させることにより、係雄ねじ山２０４ｂと係雌ねじ山２１４が螺合される。係雄ねじ山２０４ｂ及び係雌ねじ山２１４は約２山ずつ形成されているため、スパウト本体２０２を接続部２０４対して約２回転させると、スパウト本体２０２の係雌ねじ山２１４は、接続部２０４の係雄ねじ山２０４ｂを通り越し、両者の螺合状態は解除される。この状態では、スパウト本体２０２を回転させずに、スパウト本体２０２を単に壁面Ｗの方向に押し付けるだけで、接続部２０４は接続部受け入れ部２０２ｄの中にさらに深く受け入れられる。
【００６２】
スパウト本体２０２をさらに壁面Ｗの方向に押し付けることにより、接続部２０４の外周に嵌め込まれたＯリング２１０は、接続部受け入れ部２０２ｄの拡径部２１８から水密円筒部２１６の中に押し込まれる。これにより、接続部２０４とスパウト本体２０２の間の水密性が確保される。さらに、スパウト本体２０２をベース部２０２ａが壁面Ｗに当接するまで押し込む。この状態で、スパウト本体２０２の水平部２０２ｂが正確に水平方向に向くように取り付け角度を調整し、最後に止めねじ２０８を締め付ける。止めねじ２０８を締め付けることにより、その先端が接続部２０４の外周面に押し付けられ、スパウト本体２０２が接続部２０４に固定される。
【００６３】
また、本実施形態によるスパウト２００の使用状態においては、給水管６から供給された湯水は、接続部２０４の通水路、水平部２０２ｂの通水路を通り、整流網を介して吐出される。この際、スパウト本体２０２は、給水圧により、スパウト本体２０２を接続部２０４から引き抜く方向の力や、スパウト本体２０２を振動させる力を受ける。通常の使用状態においては、スパウト本体２は止めねじ２０８で固定されているため、このような給水圧を受けてもシャワーヘッド本体２が接続部２０４から抜けることはない。また、万一、止めねじ２０８の締め付け力不足や、締め忘れにより、スパウト本体２０２が接続部２０４から抜けたとしても、スパウト本体２０２の取り付け時に一旦螺合され、通り越した状態にあるスパウト本体２０２の係雌ねじ山２１４と接続部２０４の係雄ねじ山２０４ｂが係合するので、スパウト本体２０２の接続部２０４からの脱落が防止される。
【００６４】
また、スパウト本体２０２が図６に示す所定の設置位置から外れると、接続部受け入れ部２０２ｄの水密円筒部２１６に密着されていたＯリング２１０が接続部受け入れ部２０２ｄの拡径部２１８に面するようになる。このため、Ｏリング２１０による水密性が失われる。これにより、湯水がスパウト本体２０２と接続部２０４の間から外部に漏れ、スパウト本体２０２が所定の設置位置から外れていることが、使用者によって即座に認識される。
【００６５】
本発明の第３実施形態のスパウトによれば、長年の使用等により止めねじが緩んだ場合にも、スパウト本体の係雌ねじ山と接続部の係雄ねじ山は依然として係合された状態にあるので、スパウト本体の脱落を、より確実に防止することができる。
【００６６】
次に、図７を参照して、本発明の第４実施形態によるオーバーヘッドシャワー用のシャワーヘッドを説明する。図７は本実施形態による吐水装置であるシャワーヘッドの断面図である。
【００６７】
図７に示すように、本実施形態によるシャワーヘッド３００は、回動可能に取り付けられる吐水装置本体部であるシャワーヘッド本体部３０２と、壁面Ｗに設けられた給水管６に取り付けられる接続部３０４と、を有する。
【００６８】
シャワーヘッド本体部３０２は、シャワーヘッド本体部３０２を接続部３０４に対して固定するための固定用カバー３０６と、固定用カバー３０６と接続部３０４の間に回動可能に挟持されるピボット軸部３０８と、散水板３１４が取り付けられたボディー部３１２と、を有する。
【００６９】
また、接続部３０４は、「く」の字形に曲げられた円管状の部品であり、その基端部には給水管６に形成されたテーパねじに螺合される給水管結合部であるテーパねじ部３０４ａが形成され、先端部にはピボット軸部３０８を受けるためのピボット受け部３０４ｂが形成されている。このピボット受け部３０４ｂには、ピボット軸部３０８とピボット受け部３０４ｂの間の水密性を確保するための円環状のパッキン３２０が配置されている。また、接続部３０４の先端部外周には、接続部係ねじ部である係雄ねじ山３０４ｃが形成されている。本実施形態においては、この係雄ねじ山３０４ｃは、約２山形成されている。さらに、接続部３０４の外周には、係雄ねじ山３０４ｃから間隔を隔てて固定用ねじ部３０４ｄが形成されている。これら係雄ねじ山３０４ｃと固定用ねじ部３０４ｄの間隔は、固定用カバー３０６に形成された係雌ねじ山３０６ａよりも長く構成されている。
【００７０】
ピボット軸部３０８は、中央に通水路が形成された概ね円筒状の部品である。ピボット軸部３０８の基端部外面には、シャワーヘッド本体部３０２と接続部３０４のピボット連結を可能にするための球状面３０８ａが形成されており、先端部外周にはボディー部３１２と螺合させるための連結ねじ３０８ｂが形成されている。
【００７１】
固定用カバー３０６は、概ね円筒状の部品であり、接続部３０４に螺合され、接続部３０４のピボット受け部３０４ｂとの間にピボット軸部３０８を挟持するように構成されている。固定用カバー３０６の基部内周には、本体部係ねじ部である係雌ねじ山３０６ａが形成されている。この係雌ねじ山３０６ａは、固定用カバー３０６を接続部３０４に取り付ける際、一旦、接続部３０４の係雄ねじ山３０４ｃに螺合され、この係雄ねじ山３０４ｃを通り越した後、固定用ねじ部３０４ｄに螺合され固定される。従って、係雌ねじ山３０６ａは、係雄ねじ山３０４ｃと螺合される本体部係ねじ部と、シャワーヘッド本体部３０２を接続部３０４に取り付ける固定手段である固定用ねじ部とを兼ねている。本実施形態においては、この係雌ねじ山３０６ａは、約２山形成されている。
【００７２】
また、固定用カバー３０６の先端部には、内径がピボット軸部３０８の球状面３０８ａよりも小さいドーナツ型の挟持面３０６ｂが形成されており、この挟持面３０６ｂの内側に円環状のパッキン３２２が配置されている。このパッキン３２２と、ピボット受け部３０４ｂに配置されたパッキン３２０との間に、ピボット軸部３０８の球状面３０８ａを挟むことにより、ピボット軸部３０８をピボット状に回動可能に支持している。
【００７３】
ボディー部３１２は、概ね円錐状の部品であり、その頂部にピボット軸部３０８の連結ねじ３０８ｂが螺合されている。また、ボディー部３１２の底面には散水板３１４が取り付けられている。
【００７４】
次に、図７を参照して、本発明の第４実施形態によるオーバーヘッドシャワー用シャワーヘッド３００の設置手順を説明する。
まず、壁面Ｗに設けられている給水管６のテーパねじに、接続部３０４のテーパねじ部３０４ａを螺合させ、接続部３０４を給水管６に水密的に取り付ける。次に、固定用カバー３０６、ピボット軸部３０８、ボディー部３１２、及び散水板３１４を、予め図７に示す状態に組み立てておき、これを壁面Ｗに固定された接続部３０４に固定する。即ち、まず、固定用カバー３０６の内周に形成された係雌ねじ山３０６ａの中心軸と、接続部３０４の外周先端に形成された係雄ねじ山３０４ｃの中心軸とを整合させ、係雌ねじ山３０６ａと係雄ねじ山３０４ｃを螺合させる。各ねじ山は約２山ずつ形成されているので、それらが螺合された後、約２回転させることにより、係雌ねじ山３０６ａは係雄ねじ山３０４ｃを通り越す。
【００７５】
係雌ねじ山３０６ａが係雄ねじ山３０４ｃを通り越すと、係雌ねじ山３０６ａは、接続部３０４の先端の係雄ねじ山３０４ｃと、これよりも基端側に形成された固定用ねじ部３０４ｄとの間の、ねじ山が形成されていない部分に位置するようになる。この状態では、固定用カバー３０６と接続部３０４は螺合されていないため、それらの間にはガタが存在するが、係雌ねじ山３０６ａと係雄ねじ山３０４ｃの係合により、固定用カバー３０６を接続部３０４から引き抜くことはできない。
【００７６】
次に、固定用カバー３０６の係雌ねじ山３０６ａの中心軸と、接続部３０４の固定用ねじ部３０４ｄの中心軸とを整合させ、係雌ねじ山３０６ａと固定用ねじ部３０４ｄを螺合させる。固定用カバー３０６を接続部３０４にねじ込むことにより、ピボット軸部３０８の球状面３０８ａが、パッキン３２０と３２２の間に挟まれる。固定用カバー３０６を所定の位置までねじ込むことにより、パッキン３２０及び３２２が適度に押しつぶされ、接続部３０４とピボット軸部３０８の間の水密性が確保される。また、同時に、ピボット軸部３０８の球状面３０８ａがパッキン３２０に対して摺動されることにより、シャワーヘッド本体部３０２のピボット式の回動が許容され、それらの間の摩擦により回動された任意の位置でシャワーヘッド本体部３０２を止めることができる。
【００７７】
本実施形態によるオーバーヘッドシャワー用シャワーヘッド３００の実使用時においては、給水管６から供給された湯水は、接続部３０４、ピボット軸部３０８、及びボディー部３１２を通って散水板３１４の散水孔から吐水される。また、使用者の好みによりシャワーヘッド本体部３０２を任意の方向に回動させると、シャワーヘッド本体部３０２はその位置に維持される。
【００７８】
また、長期間の使用等により、接続部３０４と固定用カバー３０６の間の螺合による締め付けが緩んだ場合には、ピボット軸部３０８とパッキン３２０の間の水密性が失われ、湯水が外部に漏れるようになる。これにより、固定用カバー３０６の締め付けが緩み、シャワーヘッド本体部３０２が所定の設置位置から外れていることが、使用者によって即座に認識される。また、締め付けがさらに緩み、螺合されている固定用カバー３０６の係雌ねじ山３０６ａが、接続部３０４の固定用ねじ部３０４ｄから外れたとしても、係雌ねじ山３０６ａと接続部３０４の係雄ねじ山３０４ｃの係合により、シャワーヘッド本体部３０２の脱落は防止される。
【００７９】
本発明の第４実施形態によるオーバーヘッドシャワー用シャワーヘッドによれば、長年の使用等により、接続部と固定用カバーの間の螺合が緩んだ場合にも、シャワーヘッド本体の係雌ねじ山と接続部の係雄ねじ山は依然として係合された状態にあるので、シャワーヘッド本体の脱落を、より確実に防止することができる。
【図面の簡単な説明】
【００８０】
【図１】本発明の第１実施形態によるシャワーヘッドの断面図である。
【図２】本発明の第１実施形態によるシャワーヘッドの分解斜視図である。
【図３】シャワーヘッド本体が所定の設置位置から外れた状態を示す部分拡大断面図である。
【図４】本発明の第２実施形態によるボディーシャワー用シャワーヘッドの断面図である。
【図５】ボディーシャワー用シャワーヘッドの分解斜視図である。
【図６】本発明の第３実施形態によるスパウトの断面図である。
【図７】本発明の第４実施形態によるオーバーヘッドシャワー用のシャワーヘッドの断面図である。
【符号の説明】
【００８１】
Ｗ壁面
１        本発明の第１実施形態によるシャワーヘッド
２        シャワーヘッド本体
２ａ      ベース部
２ｂ      水平部
２ｄ      接続部受け入れ部
２ｃ      吐水穴
４        接続部
４ａ      テーパねじ部
４ｂ      係雄ねじ山
６        給水管
８        止めねじ
１０      Ｏリング
１２      散水板
１４      係雌ねじ山
１６      水密円筒部
１８      拡径部
２０      雌ねじ
１００    本発明の第２実施形態によるシャワーヘッド
１０２    シャワーヘッド本体部
１０４    接続部
１０６    固定用カバー
１０６ａ  挟持面
１０６ｂ  係雌ねじ山
１０８    ピボット軸部
１０８ａ  球状面
１０８ｂ  連結ねじ
１１０    アダプタ部
１１０ａ  連結ねじ
１１０ｂ  連結ねじ
１１２    ボディー部
１１２ａ  連結ねじ部
１１２ｂ  通水路
１１４    散水板
１１４ａ  散水孔
１１６    給水管連結部
１１６ａ  テーパねじ部
１１６ｂ  水密筒部
１１８    ピボット受け部
１１８ａ  ピボット受け凹部
１１８ｂ  係雄ねじ山
１１８ｃ  固定用ねじ部
１２０    パッキン
１２２    樹脂部材
１２４    止めねじ
１２６    Ｏリング
２００    本発明の第３実施形態によるスパウト
２０２    スパウト本体
２０２ａ  ベース部
２０２ｂ  水平部
２０２ｃ  吐水穴
２０２ｄ  接続部受け入れ部
２０４    接続部
２０４ａ  テーパねじ部
２０４ｂ  係雄ねじ山
２０４ｃ  突起
２０８    止めねじ
２１０    Ｏリング
２１２    整流網
２１４    係雌ねじ山
２１６    水密円筒部
２１８    拡径部
２２０    雌ねじ
３００    本発明の第４実施形態によるシャワーヘッド
３０２    シャワーヘッド本体部
３０４    接続部
３０４ａ  テーパねじ部
３０４ｂ  ピボット受け部
３０４ｃ  係雄ねじ山
３０４ｄ  固定用ねじ部
３０６    固定用カバー
３０６ａ  係雌ねじ山
３０８    ピボット軸部
３０８ａ  球状面
３０８ｂ  連結ねじ
３１２    ボディー部
３１４    散水板
【図１】
2007262780.tif 000003
【図２】
2007262780.tif 000004
【図３】
2007262780.tif 000005
【図４】
2007262780.tif 000006
【図５】
2007262780.tif 000007
【図６】
2007262780.tif 000008
【図７】
2007262780.tif 000009